(57)【要約】【課題】装置全体の重量を低減し、部品点数を削減し、赤外線の透過率を場所に依らずに安定させることができる座標入力装置を提供する。【解決手段】本発明の座標入力装置は、画像を表示する表示面を有する表示部と、表示面に対向して配設される透明の板状部材と、板状部材を外囲するフレーム部材と、板状部材の周縁部分を表示部側から支持する支持部材と、閉塞部材と、フレーム部材の内部に設けられ、検出光を受光する複数の受光部とを含む。受光部が受光した受光光に基づき、板状部材における、指示体によって指示された指示位置を検出する。閉塞部材は、検出光を透過する材料から成り、間隙を閉塞するとともに、支持部材との間に板状部材の周縁部分に接触することにより挟持する。【選択図】図２
2018055729.tif 000002
【特許請求の範囲】
【請求項１】
画像を表示する表示面を有する表示部と、
前記表示面に対向して配設される透明の板状部材と、
前記板状部材を外囲するフレーム部材と、
前記板状部材の周縁部分を前記表示部側から支持する支持部材と、
閉塞部材と、
前記フレーム部材の内部に設けられ、検出光を受光する複数の受光部とを含み、
前記受光部が受光した受光光に基づき、前記板状部材における、指示体によって指示された指示位置を検出する座標入力装置であって、
前記フレーム部材は、前記板状部材の周縁部分に対して、前記板状部材の厚み方向に間隙を有するように配置され、
前記閉塞部材は、前記検出光を透過する材料から成り、前記間隙を閉塞するとともに、前記支持部材との間に前記板状部材の周縁部分に接触することにより挟持し、
前記複数の受光部は、前記間隙における前記閉塞部材を介して検出光を受光することを特徴とする座標入力装置。
【請求項２】
前記閉塞部材は、前記板状部材の周縁部分における、前記表示部側とは反対側の表面に接触することを特徴とする請求項１に記載の座標入力装置。
【請求項３】
前記支持部材は、前記板状部材の周縁部分における、前記表示部側の表面に接触し、
前記閉塞部材は、前記支持部材が前記板状部材に接触する接触部に対して、前記板状部材を挟んで対向する反対側の表面に接触することを特徴とする請求項２に記載の座標入力装置。
【請求項４】
前記閉塞部材は、前記板状部材に面接触することを特徴とする請求項１〜３のいずれか１つに記載の座標入力装置。
【請求項５】
前記閉塞部材は、
前記板状部材の周縁部分における、前記表示部側とは反対側の表面に接触する挟持部分と、
前記挟持部分に連なり、前記間隙を閉塞する閉塞部分とを含むことを特徴とする請求項１〜請求項４のいずれか１つに記載の座標入力装置。
【請求項６】
前記挟持部分は、
前記板状部材の周縁部分における、前記表示部側とは反対側の表面に接触し、前記板状部材の表面に沿って広がる板状の第１部分を備え、
前記閉塞部分は、
一方の端部が、前記第１部分における、前記面方向の内方側の端部に連なり、前記一方の端部から前記板状部材の表面から離反する方向に向けて広がる板状の形状であることを特徴とする請求項５に記載の座標入力装置。
【請求項７】
前記閉塞部材は、
前記挟持部分における、前記厚み方向に垂直な面方向の外方側の端部に連なり、前記支持部材に固定される固定部分を有し、
前記挟持部分は、前記板状部材の周縁部分における、前記表示部側とは反対側の表面に面接触し、
前記閉塞部分は、前記挟持部分における、前記面方向の内方側の端部に連なることを特徴とする請求項５または請求項６に記載の座標入力装置。
【請求項８】
前記固定部分は、長尺の板状に形成され、前記支持部材に対向する側の対向面には、前記支持部材に対する位置決めのための複数の位置決め部が、長手方向に沿って間を空けて形成され、前記対向面とは反対側の面には、前記位置決め部が形成されている位置に対応して、リブが形成されていることを特徴とする請求項７に記載の座標入力装置。
【請求項９】
前記フレーム部材の内部に前記複数の受光部に個別に対応して設けられ、対応する前記受光部に向けて、赤外線を前記検出光として出射する複数の発光部をさらに含むことを特徴とする請求項１〜８のいずれか１つに記載の座標入力装置。
【請求項１０】
請求項１〜９のいずれか１つに記載の座標入力装置が搭載されることを特徴とする画像表示装置。
【発明の詳細な説明】
【技術分野】
【０００１】
本発明は、液晶表示装置などの画像表示装置に搭載される座標入力装置およびそれを備える画像表示装置に関する。
【背景技術】
【０００２】
従来から、液晶表示装置などの画像表示装置に搭載される座標入力装置として、赤外線遮断方式による座標入力装置が提案されている（たとえば、特許文献１参照）。
【０００３】
図５は、従来技術に係る赤外線遮断方式による座標入力装置１１０を搭載した液晶表示装置１００の構成を示す部分断面図である。液晶表示装置１００は、図５に示すように、画像を表示する表示面を一方側の主面１１１ａに有する矩形板状に構成された液晶パネル１１１と、液晶パネル１１１の表示面に対向して配置される、無色透明で矩形板状の保護ガラス１１２と、液晶パネル１１１を含む液晶モジュール１１３を四方から外囲するとともに、保護ガラス１１２の周縁部分１１４を液晶パネル１１１側から支持するモジュール金属ベゼル１１５と、モジュール金属ベゼル１１５と協働して、保護ガラス１１２の周縁部分１１４を挟持することにより、保護ガラス１１２を固定する金属製のガラス押えアングル１１６と、保護ガラス１１２の周縁部分１１４の損傷を防止するために、ガラス押えアングル１１６と保護ガラス１１２の周縁部分１１４との間に配設されるガラス押えクッション１１７と、液晶モジュール１１３および保護ガラス１１２を四方から外囲する、外観フレームとして機能する矩形枠状のアルミベゼル１１８とを含んで構成される。
【０００４】
アルミベゼル１１８は、液晶モジュール１１３および保護ガラス１１２の外周に沿って設けられる、該外周よりも一回り大きな大略的に矩形筒状の側壁部分１１９と、側壁部分１１９における、保護ガラス１１２の厚み方向一方側の端部であって、液晶表示装置１００の正面側に配置される端部に一体的に連なり、側壁部分１１９から内方側へ略直角に屈曲する矩形枠状の額縁部分１２０とを含み、額縁部分１２０は、保護ガラス１１２の周縁部分１１４に対し、保護ガラス１１２の厚み方向に離間して配置される。これにより、図５に示すように、アルミベゼル１１８の額縁部分１２０における内方側端部１２０ａと、保護ガラス１１２の周縁部分１１４との間には間隙１２１が形成される。
【０００５】
一方、座標入力装置１１０は、赤外線Ｌを出射する複数の発光素子１２２と、複数の発光素子１２２に個別に対応して設けられ、対応する発光素子１２２から出射された赤外線Ｌをそれぞれ受光する複数の受光素子（図示せず）と、アルミベゼル１１８内に保持され、複数の発光素子１２２および受光素子が搭載されるセンサ基板１２３とを含み、アルミベゼル１１８内に配置される発光素子１２２から出射された赤外線Ｌが、額縁部分１２０における内方側端部１２０ａと保護ガラス１１２の周縁部分１１４との間の間隙１２１を通過し、保護ガラス１１２の表面に沿って進行し、再度、額縁部分１２０における内方側端部１２０ａと保護ガラス１１２の周縁部分１１４との間の間隙１２１を通過して、アルミベゼル１１８内に配置される、対応する受光素子によって受光されるように構成される。座標入力装置１１０は、各受光素子において、対応する発光素子１２２から出射された赤外線Ｌが検出されたか否かに基づいて、ユーザが保護ガラス１２の表面を指またはスタイラスなどの指示体によって指示した指示位置の座標を検出する。
【０００６】
従来から、このように構成される座標入力装置１１０においては、アルミベゼル１１８内に設けられた発光素子１２２および受光素子やセンサ基板１２３が外部から視認されることにより、外観が損なわれることを防止するために、また、アルミベゼル１１８内に塵埃が侵入し、発光素子１２２および受光素子に付着することにより、発光素子１２２から出射された赤外線Ｌが受光素子において検出されるときの検出レベルが低下することで、保護ガラス１１２の表面における指示位置を誤検出してしまうことを防止するために、図５に示すように、アルミベゼル１１８の額縁部分１２０における内方側端部１２０ａと保護ガラス１１２の周縁部分１１４との間に形成された間隙１２１を閉塞するように、可視光を吸収し、赤外線Ｌを透過する赤外線透過フィルタ（以下、「ＩＲフィルタ」と称する）１２４がさらに組み付けられて構成されている。
【先行技術文献】
【特許文献】
【０００７】
【特許文献１】特開平１１−４５１５５号公報
【発明の概要】
【発明が解決しようとする課題】
【０００８】
従来から、このＩＲフィルタ１２４は、可視光を吸収し、赤外線Ｌを透過するＩＲインクをシルク印刷した、たとえばポリカーボネート（ＰＣ）から成る長尺の板状体によって構成され、図５に示すように、その幅方向の一方側の端部１２４ａが、保護ガラス１１２の周縁部分１１４に対して接触するように、その幅方向の他方側の端部１２４ｂが、アルミベゼル１１８の額縁部分１２０における内方側端部１２０ａに、両面テープなどで固定されている。
【０００９】
しかしながら、かかる構造では、ＩＲフィルタ１２４の一方側の端部１２４ａが固定されていないため、たとえば装置を運搬する際の揺れなどに起因して、その一方側の端部１２４ａが振動すると、一方側の端部１２４ａと保護ガラス１１２の周縁部分１１４とが擦れ、保護ガラス１１２の周縁部分１１４の表面を傷つけてしまうという問題がある。
【００１０】
また、かかる構造では、両面テープの劣化などに起因して、ＩＲフィルタ１２４が、額縁部分１２０における内方側端部１２０ａから剥離してしまうおそれがあるという問題もある。さらには、一方側の端部１２４ａが振動することで、該一方側の端部１２４ａと保護ガラス１１２の周縁部分１１４とが離間してしまうと、その間隙からアルミベゼル１１８内に塵埃が侵入し、発光素子１２２および受光素子に付着することで、発光素子１２２から出射された赤外線Ｌが受光素子において検出されるときの検出レベルが低下してしまうという問題もある。
【００１１】
また、前記のように、従来のＩＲフィルタ１２４は、ＩＲインクをシルク印刷することによって構成されているので、シルク印刷の印刷精度にばらつきが生じてしまうおそれがある。このように印刷精度にばらつきが生じると、赤外線Ｌの透過率が場所に依ってばらつくことにより、発光素子１２２から出射された赤外線Ｌが受光素子において検出されるときの検出レベルも場所によって異なってしまい、保護ガラス１１２の表面における指示位置の誤検出につながるおそれがあるという問題もある。
【００１２】
さらに、従来の液晶表示装置１００では、赤外線遮断方式による座標入力装置１１０を搭載するために、アルミベゼル１１８の額縁部分１２０における内方側端部１２０ａと保護ガラス１１２の周縁部分１１４との間に間隙１２１が形成されるので、保護ガラス１１２を固定するために、図５に示すように、板金部品であるガラス押えアングル１１６とガラス押えクッション１１７とを別途取り付ける必要がある。このため、装置全体の重量が増大し、また、部品点数も多くなっているという問題がある。さらに、これにより、製造コストが増大しているという問題もある。
【００１３】
引用文献１には、額縁部分における内方側端部に相当する部分と、保護ガラスに相当するアクリル板との間にＩＲフィルタを配置することについては開示されているが、アクリル板の固定方法については記載されていない。
【００１４】
本発明の目的は、装置全体の重量を低減し、部品点数を削減し、赤外線の透過率を場所に依らずに安定させることができる座標入力装置およびそれを備える画像表示装置を提供することである。
【課題を解決するための手段】
【００１５】
本発明は、画像を表示する表示面を有する表示部と、前記表示面に対向して配設される透明の板状部材と、前記板状部材を外囲するフレーム部材と、前記板状部材の周縁部分を前記表示部側から支持する支持部材と、閉塞部材と、前記フレーム部材の内部に設けられ、検出光を受光する複数の受光部とを含み、前記受光部が受光した受光光に基づき、前記板状部材における、指示体によって指示された指示位置を検出する座標入力装置であって、
前記フレーム部材は、前記板状部材の周縁部分に対して、前記板状部材の厚み方向に間隙を有するように配置され、
前記閉塞部材は、前記検出光を透過する材料から成り、前記間隙を閉塞するとともに、前記支持部材との間に前記板状部材の周縁部分の外周面を面方向の外方から被覆することにより挟持し、
前記複数の受光部は、前記間隙における前記閉塞部材を介して検出光を受光することを特徴とする座標入力装置である。
【００１６】
また、本発明は、前記閉塞部材は、
前記板状部材の周縁部分における、前記表示部側とは反対側の表面に接触する挟持部分と、
前記挟持部分に連なり、前記間隙を閉塞する閉塞部分とを含むことを特徴とする。
【００１７】
また、本発明は、前記挟持部分は、
前記板状部材の周縁部分における、前記表示部側とは反対側の表面に接触し、前記板状部材の表面に沿って広がる板状の第１部分を備え、
前記閉塞部分は、
一方の端部が、前記第１部分における、前記面方向の内方側の端部に連なり、前記一方の端部から前記板状部材の表面から離反する方向に向けて広がる板状の形状であることを特徴とする。
【００１８】
また本発明は、前記閉塞部材は、
前記挟持部分における、前記厚み方向に垂直な面方向の外方側の端部に連なり、前記支持部材に固定される固定部分を有し、
前記挟持部分は、前記板状部材の周縁部分における、前記表示部側とは反対側の表面に面接触し、
前記閉塞部分は、前記挟持部分における、前記面方向の内方側の端部に連なることを特徴とする。
【００１９】
また本発明は、前記固定部分は、長尺の板状に形成され、前記支持部材に対向する側の対向面には、前記支持部材に対する位置決めのための複数の位置決め部が、長手方向に沿って間を空けて形成され、前記対向面とは反対側の面には、前記位置決め部が形成されている位置に対応して、リブが形成されていることを特徴とする。
【００２０】
また本発明は、前記フレーム部材の内部に前記複数の受光部に個別に対応して設けられ、対応する前記受光部に向けて、赤外線を前記検出光として出射する複数の発光部をさらに含むことを特徴とする。
【００２１】
また、本発明は、画像を表示する表示面を有する表示部と、前記表示面に対向して配設される透明の板状部材と、前記表示部および前記板状部材を外囲するフレーム部材と、前記板状部材の周縁部分を前記表示部側から支持する支持部材とを含み、前記フレーム部材が、前記板状部材の厚み方向に、前記周縁部分から離間して配置される枠状部分を有する画像表示装置に搭載され、前記板状部材における、指示体によって指示された指示位置を検出する座標入力装置であって、
前記フレーム部材の内部に設けられ、前記板状部材の周縁部分と前記枠状部分との間の間隙を介して、前記指示位置を検出するために用いられる検出光を受光する複数の受光部と、
前記検出光を透過する材料から成り、前記間隙を閉塞する閉塞部材とを含み、
前記閉塞部材が、前記支持部材と協働して前記板状部材の周縁部分を挟持することにより、該板状部材を固定するように構成され、
前記閉塞部材は、
前記板状部材の周縁部分における、前記表示部側とは反対側の表面に面接触する挟持部分と、
前記挟持部分における、前記厚み方向に垂直な面方向の外方側の端部に連なり、前記支持部材に固定される固定部分と、
前記挟持部分における、前記面方向の内方側の端部に連なり、前記間隙を閉塞する閉塞部分とを含むことを特徴とする。
また本発明は、前記座標入力装置が搭載されることを特徴とする画像表示装置である。
【発明の効果】
【００２２】
本発明によれば、フレーム部材の枠状部分と板状部材の周縁部分との間に間隙が形成され、その間隙を介して、板状部材における指示位置を検出するために用いられる検出光を受光して、指示位置の座標を検出するように構成された座標入力装置が搭載される画像表示装置において、板状部材を固定するための部材を、閉塞部材と別途に設ける必要がなくなるので、装置全体の重量を低減することができ、また部品点数を削減することができる。さらに、閉塞部材が、検出光を透過する材料から成るので、赤外線の透過率を場所に依らずに安定させることができる。
【図面の簡単な説明】
【００２３】
【図１】本発明の第１の実施形態に係るタッチパネル装置１０を搭載した液晶表示装置１の構成を概略的に示す正面図である。
【図２】図１における切断面線ＩＩ−ＩＩから見た断面を示す斜視図である。
【図３】液晶表示装置１の左上の角部を拡大して示す図であり、図３（ａ）は外観ベゼル１６が装着された状態を示し、図３（ｂ）は外観ベゼル１６が取り外された状態を示している。
【図４】本発明の第２の実施形態に係るタッチパネル装置を構成するＩＲフィルタ４０の長手方向の一方側の構成を概略的に示す斜視図であり、図４（ａ）はＩＲフィルタ４０を上方から見た斜視図であり、図４（ｂ）はＩＲフィルタ４０を下方から見た斜視図である。
【図５】従来技術に係る赤外線遮断方式による座標入力装置１１０を搭載した液晶表示装置１００の構成を示す部分断面図である。
【発明を実施するための形態】
【００２４】
（第１の実施形態）
図１は、本発明の第１の実施形態に係るタッチパネル装置１０を搭載した液晶表示装置１の構成を概略的に示す正面図である。図２は、図１における切断面線ＩＩ−ＩＩから見た断面を示す斜視図である。本実施形態に係るタッチパネル装置１０は、赤外線遮断方式による座標入力装置である。
【００２５】
先ず、液晶表示装置１の構成について説明する。液晶表示装置１は、図２に示すように、画像を表示する表示面を一方側の主面１１ａに有する矩形板状に構成された液晶パネル１１（表示部）と、液晶パネル１１の表示面に対向して配置される、無色透明で矩形板状の保護ガラス１２（板状部材）と、液晶パネル１１を含む液晶モジュール１３を四方から外囲するとともに、保護ガラス１２の周縁部分１４を液晶パネル１１側から支持するモジュール金属ベゼル１５（支持部材）と、液晶モジュール１３および保護ガラス１２を四方から外囲する、外観フレームとして機能する矩形枠状の外観ベゼル１６（フレーム部材）とを含んで構成される。
【００２６】
外観ベゼル１６は、液晶モジュール１３および保護ガラス１２の外周に沿って設けられる、該外周よりも一回り大きな大略的に矩形筒状の側壁部分１７と、側壁部分１７における、保護ガラス１２の厚み方向の一方側の端部であって、液晶表示装置１の正面側に配置される端部に一体的に連なり、側壁部分１７から内方側へ略直角に屈曲する矩形枠状の額縁部分１８（枠状部分）とを含み、額縁部分１８は、保護ガラス１２の周縁部分１４に対し、保護ガラス１２の厚み方向に離間して配置される。これにより、図２に示すように、外観ベゼル１６の額縁部分１８における内方側端部１８ａと、保護ガラス１２の周縁部分１４との間には間隙１９が形成される。外観ベゼル１６は、たとえばアルミ押出材によって構成される。
【００２７】
一方、タッチパネル装置１０は、赤外線Ｌ（検出光）を出射する複数の発光素子２１（発光部）と、複数の発光素子２１に個別に対応して設けられ、対応する発光素子２１から出射された赤外線Ｌをそれぞれ受光する複数の受光素子２２（受光部）と、外観ベゼル１６内に保持され、複数の発光素子２１および受光素子２２が搭載されるセンサ基板２３とを含んで構成される。
【００２８】
本実施形態では、図１に示すように、液晶パネル１１の一方の長辺に沿って、複数の発光素子２１が、液晶パネル１１の短辺に平行に赤外線Ｌを出射するように、等間隔で一列に並べて配設されるとともに、液晶パネル１１の一方の短辺に沿って、複数の発光素子２１が、液晶パネル１１の長辺に平行に赤外線Ｌを出射するように、等間隔で一列に並べて配設され、各発光部２２から出射された赤外線Ｌが受光されるように、液晶パネル１１の他方の長辺および短辺に沿って、複数の受光素子２２が、等間隔で一列に並べて配設されている。これにより、複数の発光素子２１からは、格子を形成するように、赤外線Ｌが出射される。
【００２９】
本実施形態では、図２に示すように、複数の発光素子２１および受光素子２２は、保護ガラス１２の厚み方向に関して、間隙１９が形成される位置に対応して配設されるように、センサ基板２３にそれぞれ搭載される。これにより、外観ベゼル１６内に配置される発光素子２１から出射された赤外線Ｌは、間隙１９を通過し、保護ガラス１２の表面に沿って進行し、再度、間隙１９を通過して、外観ベゼル１６内に配置される、対応する受光素子２２によって受光される。なお、発光素子２１および受光素子２２は、たとえばＬＥＤ（Light Emitting Diode）によって実現される。
【００３０】
タッチパネル装置１０は、各受光素子２２において、対応する発光素子２１から出射された赤外線Ｌが検出されたか否かに基づいて、ユーザが保護ガラス１２の表面を指またはスタイラスなどの指示体によって指示した指示位置の座標を検出する。
【００３１】
本実施形態に係るタッチパネル装置１０は、外観ベゼル１６内に設けられた複数の発光素子２１および受光素子２２ならびにセンサ基板２３が外部から視認されることにより、外観が損なわれることを防止するために、また、外観ベゼル１６内に塵埃が侵入し、塵埃が発光素子２１および受光素子２２に付着することにより、発光素子２１から出射された赤外線Ｌが受光素子２２において検出されるときの検出レベルが低下することで、保護ガラス１２の表面における指示位置を誤検出してしまうことを防止するために、図１に示すように、外観ベゼル１６の額縁部分１８における内方側端部１８ａと保護ガラス１２の周縁部分１４との間に形成された間隙１９を閉塞するように、可視光を吸収し、赤外線Ｌを透過する赤外線透過フィルタ（以下、「ＩＲフィルタ」と称する）２４がさらに組み付けられて構成されている。
【００３２】
ＩＲフィルタ２４は、本実施形態では、液晶パネル１１の各長辺および各短辺に沿ってそれぞれ設けられる長尺の棒状部材であり、可視光を吸収し、赤外線Ｌを透過する赤外線透過樹脂で射出成型されることによって製造される。
【００３３】
ＩＲフィルタ２４は、図２に示すように、保護ガラス１２の周縁部分１４における、液晶パネル１１側とは反対側の表面に面接触する挟持部分３１と、挟持部分３１における、保護ガラス１２の厚み方向に垂直な面方向の外方側の端部に一体的に連なり、モジュール金属ベゼル１５に固定される板状の固定部分３２と、挟持部分３１における、前記面方向の内方側の端部に一体的に連なり、間隙１９を閉塞する板状の閉塞部分３３とを含んで構成される。
【００３４】
本実施形態では、図２に示すように、固定部分３２とモジュール金属ベゼル１５とは、締結具であるねじ２５によって締結固定される。これにより、挟持部分３１は、モジュール金属ベゼル１５と協働して、保護ガラス１２の周縁部分１４を挟持する。保護ガラス１２は、各長辺および各短辺に対応する周縁部分１４が、ＩＲフィルタ２４の挟持部分３１とモジュール金属ベゼル１５とによって挟持されることにより、液晶パネル１１に対向する位置に固定される。
【００３５】
また、挟持部分３１は、図２に示すように、その断面が大略的にＬ字形状を成しており、前記のように保護ガラス１２の周縁部分１４に面接触する第１部分３１ａと、その第１部分３１ａの前記面方向の外方側の端部に連なり、第１部分３１ａからモジュール金属ベゼル１５側へ略直角に屈曲する第２部分３１ｂとから成り、この第２部分３１ｂは、ＩＲフィルタ２４がモジュール金属ベゼル１５に締結固定されたときに、保護ガラス１２の外周面を前記面方向の外方から被覆するように構成されている。
【００３６】
空中を浮遊する塵埃は、静電気力等によって保護ガラス１２の表面に引き寄せられ、その後、重力によって落下することにより、保護ガラス１２とＩＲフィルタ２４との境目の部分に溜まり易い。図５に示す従来技術によれば、振動によって保護ガラス１１２とＩＲフィルタ１２４との間に間隙が形成されてしまうと、境目の部分に溜まった塵埃がその間隙から外観ベゼル１１８内へ侵入してしまう。
【００３７】
しかしながら、本実施形態によれば、ＩＲフィルタ２４が前記のように構成されているので、境目の部分に溜まった塵埃が、保護ガラス１２と挟持部分３１との間に侵入したとしても、塵埃は保護ガラス１２と挟持部分３１との間に閉じ込め、外観ベゼル１６内へ侵入することを防止することができる。したがって、発光素子２１および受光素子２２に塵埃が付着することに起因して、発光素子２１から出射された赤外線Ｌが受光素子２２において検出されるときの検出レベルが低下してしまうことが防止され、これにより、保護ガラス１２の表面における指示位置を誤検出してしまうことを防止することができる。
【００３８】
なお、ＩＲフィルタ２４の閉塞部分３３は、本実施形態では、保護ガラス１２から離反するにつれて前記面方向の外方側へ傾斜するように形成され、挟持部分３１とは反対側の端部が、外観ベゼル１６の額縁部分１８における内方側端部１８ａと接触することで、間隙１９を閉塞している。
【００３９】
本実施形態では、図２に示すように、閉塞部分３３の挟持部分３１とは反対側の端部と内方側端部１８ａとが直接接触しているが、該端部と内方側端部１８ａとの間から外観ベゼル１６内への塵埃の侵入を確実に防止するために、該端部と内方側端部１８ａとの間にクッション材を設けて、該端部と内方側端部１８ａとの間を確実に封止するように構成してもよい。
【００４０】
図３は、液晶表示装置１の左上の角部を拡大して示す図であり、図３（ａ）は外観ベゼル１６が装着された状態を示し、図３（ｂ）は外観ベゼル１６が取り外された状態を示している。
【００４１】
図３に示すように、本実施形態に係るタッチパネル装置１０は、液晶パネル１１の長辺に沿って配置されるＩＲフィルタ２４Ａが、保護ガラス１２の角部において、短辺側の周縁部分１４を部分的に覆い、ＩＲフィルタ２４Ａと、液晶パネル１１の短辺に沿って配置されるＩＲフィルタ２４Ｂとの接合部が、長辺に沿って延びるように構成されている。
【００４２】
そして、その接合部において、ＩＲフィルタ２４Ａの閉塞部分３３に形成された、断面がＬ字形状の段差部３４に、ＩＲフィルタ２４Ｂの閉塞部分３３が係合するように構成されている。これにより、塵埃が、ＩＲフィルタ２４ＡとＩＲフィルタ２４Ｂとの接合部を介して、外観ベゼル１６内へ侵入してしまうことを防止している。
【００４３】
以上のように、本実施形態によれば、ＩＲフィルタ２４は、赤外線透過樹脂で射出成型によって製造されているので、従来技術のように、ＩＲインクをシルク印刷する場合と比較して、赤外線Ｌの透過率を場所に依らずに安定させることができる。
【００４４】
また、本実施形態によれば、ＩＲフィルタ２４は、外観ベゼル１６の額縁部分１８における内方側端部１８ａと保護ガラス１２の周縁部分１４との間に形成された間隙１９を閉塞するとともに、モジュール金属ベゼル１５と協働して、保護ガラス１２の周縁部分１４を挟持することにより、保護ガラス１２を固定する機能を有しているので、保護ガラス１２を固定するための、板金部品などの部材を別途に設ける必要がない。したがって、装置全体の重量を低減し、部品点数を削減し、製造コストを低減することができる。
【００４５】
また、本実施形態によれば、装置を運搬する際に揺れなどが生じたとしても、ＩＲフィルタ２４と保護ガラス１２とが擦れることがないので、保護ガラス１２の周縁部分１４の表面の損傷を防止することができる。
【００４６】
また、本実施形態によれば、ＩＲフィルタ２４は、モジュール金属ベゼル１５に締結固定されたときに、挟持部分３１における第１部分３１ａが、保護ガラス１２の周縁部分１４に面接触し、挟持部分３１における第２部分３１ｂが、保護ガラス１２の外周面を前記面方向の外方から被覆するように構成されているので、塵埃が、保護ガラス１２と挟持部分３１との間に侵入したとしても、外観ベゼル１６内へ侵入することを防止することができる。
【００４７】
なお、本実施形態では、画像表示装置として液晶表示装置１を例示しているが、これに限らず、タッチパネル装置１０は、プラズマディスプレイ装置や有機ＥＬ（Electro-Luminescence）ディスプレイ装置などに搭載されてもよい。
【００４８】
（第２の実施形態）
図４は、本発明の第２の実施形態に係るタッチパネル装置を構成するＩＲフィルタ４０の長手方向の一方側の構成を概略的に示す斜視図であり、図４（ａ）はＩＲフィルタ４０を上方から見た斜視図であり、図４（ｂ）はＩＲフィルタ４０を下方から見た斜視図である。図４では、液晶パネル１１の短辺に沿って配置されるＩＲフィルタ４０を示している。本実施形態に係るタッチパネル装置は、ＩＲフィルタ４０の構成が、第１の実施形態に係るＩＲフィルタ２４と異なっている。なお、ＩＲフィルタ４０において、第１の実施形態に係るＩＲフィルタ２４と同一の構成については、同一の参照符を付し、重複する説明を省略する。
【００４９】
本実施形態に係るＩＲフィルタ４０は、固定部分３２における、モジュール金属ベゼル１５に対向する側の対向面３２ａに、モジュール金属ベゼル１５に対する位置決めのための複数の突起３６（位置決め部）が、長手方向に沿って間を空けて形成されている。
【００５０】
一方、図示しないが、モジュール金属ベゼル１５には、このＩＲフィルタ４０に形成された各突起３６がそれぞれ嵌合可能な複数の凹所が形成されており、ＩＲフィルタ４０の各突起３６とモジュール金属ベゼル１５の各凹所とをそれぞれ嵌合させることにより、ＩＲフィルタ４０が、モジュール金属ベゼル１５に対して適所に配置されるように構成されている。
【００５１】
また、ＩＲフィルタ４０の固定部分３２における、対向面３２ａとは反対側の面３２ｂには、ＩＲフィルタ４０の長手方向に関して、各突起３６が形成されている位置に対応した位置に、リブ３５がそれぞれ形成されている。
【００５２】
なお、固定部分３２には、締結具としてのねじ２５（図２参照）の軸が挿通可能な孔部３７が形成され、また、ＩＲフィルタ４０の長手方向の端部には、液晶パネル１１の長辺に沿って配置されるＩＲフィルタ４０の長手方向の端部に形成された段差部３４（図３（ｂ）参照）に係合するように、閉塞部分３３を、挟持部分３１および固定部分３２よりも長手方向に突出させた突出部分３８が形成されている。
【００５３】
以上のように、本実施形態によれば、固定部分３２に設けられたリブ３５によって、長尺の部材であるＩＲフィルタ４０を補強することができ、さらに、ＩＲフィルタ４０をモジュール金属ベゼル１５に組み付ける際、このリブ３５を視認することで、各突起３６が形成されている位置を把握することができるので、各突起３６をモジュール金属ベゼル１５の各凹所に対して容易に嵌合させることができ、ＩＲフィルタ４０のモジュール金属ベゼル１５への組付け作業の作業性を向上させることができる。
【００５４】
なお、本実施形態では、ＩＲフィルタ４０の固定部分３２には、位置決め部として突起３６が形成されているが、他の実施形態では、位置決め部として凹所が形成されてもよい。この場合には、モジュール金属ベゼル１５側に、該凹所に嵌合可能な突起が形成される。
【００５５】
（第３の実施形態）
上記の実施形態では、タッチパネル装置１０は、赤外線遮断方式による座標入力装置によって実現されていたが、第３の実施形態では、赤外線カメラ方式による座標入力装置が、タッチパネル装置として液晶表示装置１に搭載される。
【００５６】
この場合のタッチパネル装置は、たとえば、赤外線Ｌを出射する、ＬＥＤなどによって実現される赤外線投光器（発光部）と、赤外線投光器から出射された赤外線Ｌを受光するＣＣＤ（Charge Coupled Device）カメラ（受光部）とを含んで構成される。赤外線投光器およびＣＣＤカメラは、液晶表示装置１の上段における左右両側の各角部において、液晶表示装置１の外観ベゼル１６内に設置され、保護ガラス１２の表面における指示位置の座標は、ＣＣＤカメラによって撮像された映像に基づいて、三角測量方式により検出される。
【００５７】
このようなタッチパネル装置においても、外観ベゼル１６内に設置された赤外線投光器およびＣＣＤカメラが外部から視認されることにより、外観が損なわれることを防止するために、また、外観ベゼル１６内に塵埃が侵入し、塵埃が赤外線投光器およびＣＣＤカメラに付着することにより、ＣＣＤカメラにおける検出レベルが低下することで、保護ガラス１２の表面における指示位置を誤検出してしまうことを防止するために、外観ベゼル１６の額縁部分１８における内方側端部１８ａと保護ガラス１２の周縁部分１４との間に形成された間隙１９を閉塞するように、第１の実施形態で説明した赤外線透過フィルタ２４を設けることで、第１の実施形態と同様の効果を奏することができる。
【００５８】
なお、赤外線カメラ方式による座標入力装置としては、外観ベゼル１６内に赤外線投光器およびＣＣＤカメラを設けるものに限らず、たとえば、外観ベゼル１６内には赤外線投光器を設けずに、保護ガラス１２の表面を指示するためのスタイラスの先端部に、赤外線Ｌを出射する発光部を設けたものによって実現されてもよい。
【符号の説明】
【００５９】
１  液晶表示装置
１０  タッチパネル装置
１１  液晶パネル
１２  保護ガラス
１３  液晶モジュール
１４  周縁部分
１５  モジュール金属ベゼル
１６  外観ベゼル
１７  側壁部分
１８  額縁部分
１９  間隙
２１  発光部
２２  受光部
２４  ＩＲフィルタ
３１  挟持部分
３２  固定部分
３３  閉塞部分
【図１】
2018055729.tif 000003
【図２】
2018055729.tif 000004
【図３】
2018055729.tif 000005
【図４】
2018055729.tif 000006
【図５】
2018055729.tif 000007